(57)【要約】【課題】  端末装置からの指定に応じて所望の位置に文字を表示する場合により見やすくかつ低負荷で文字を表示することが可能な表示装置等を提供すること。【解決手段】  表示装置であるプロジェクター１００が、端末装置である携帯電話２００から、文字と当該文字の表示指定位置を示す文字情報を受信する受信部１１０と、文字の表示不能領域を示す表示可能領域データ１２２を記憶する記憶部１２０と、文字情報、表示可能領域データ１２２に基づき、表示指定位置に応じた文字の表示方法を決定する決定部１３０と、決定部１３０による決定、表示可能領域データ１２２、文字情報に基づき、表示方法に応じて文字を含む文字画像を生成する表示側画像生成部１４０と、当該文字画像を投写する投写部１９０を含んで構成される。【選択図】  図１
2011197711.tif 000002
【特許請求の範囲】
【請求項１】
端末装置から、文字と、当該文字の表示指定位置とを示す文字情報を受信する受信部と、
前記文字の表示可能領域または表示不能領域を示す表示可能領域データを記憶する記憶部と、
前記文字情報と、前記表示可能領域データとに基づき、前記表示指定位置に応じた前記文字の表示方法を決定する決定部と、
当該決定部による決定と、前記表示可能領域データと、前記文字情報とに基づき、前記表示方法に応じて前記文字を含む文字画像を生成する表示側画像生成部と、
当該文字画像を表示する表示側表示部と、
を含む表示装置。
【請求項２】
請求項１に記載の表示装置において、
前記文字情報は、前記文字の言語種別を示す言語種別情報を含み、
前記決定部は、前記言語種別情報に基づき、前記言語種別に応じて前記文字の表示方法を決定する、
表示装置。
【請求項３】
請求項２に記載の表示装置において、
前記表示指定位置は、表示指定領域を示し、
前記決定部は、前記表示指定領域が縦長の領域であって、かつ、前記言語種別が縦書きに対応した言語である場合、前記言語種別に応じた前記文字の表示方法として、前記文字を縦書きで表示することを決定する、
表示装置。
【請求項４】
請求項１〜３のいずれかに記載の表示装置において、
前記文字情報は、前記文字または前記文字の背景の透過率に関する指定を示す透過情報を含み、
前記決定部は、前記透過情報に基づき、前記透過率に応じて前記文字の表示方法を決定する、
表示装置。
【請求項５】
請求項１〜４のいずれかに記載の表示装置において、
前記表示可能領域データを更新する更新部を含む表示装置。
【請求項６】
請求項１〜５のいずれかに記載の前記表示装置と、
前記端末装置と、
を含み、
前記端末装置は、
前記文字の入力および前記表示指定位置の指定を受け付ける受付部と、
前記文字情報を前記表示装置へ向け送信する送信部と、
を含む表示システム。
【請求項７】
請求項６に記載の表示システムにおいて、
前記端末装置は、
文字指定画像を生成する端末側画像生成部と、
前記文字指定画像を表示する端末側表示部と、
を含み、
前記文字指定画像は、前記文字の入力および前記表示指定位置の指定を受け付けるための画像である、
表示システム。
【請求項８】
文字の表示可能領域または表示不能領域を示す表示可能領域データを記憶する記憶部を含む表示装置における表示方法であって、
前記表示装置は、
端末装置から、文字と、当該文字の表示指定位置とを示す文字情報を受信し、
前記文字情報と、前記表示可能領域データとに基づき、前記表示指定位置に応じた前記文字の表示方法を決定し、
当該決定と、前記表示可能領域データと、前記文字情報とに基づき、前記表示方法に応じて前記文字を含む文字画像を生成し、
当該文字画像を表示する、
表示方法。
【発明の詳細な説明】
【技術分野】
【０００１】
本発明は、表示装置、表示システムおよび表示方法に関する。
【背景技術】
【０００２】
プロジェクター等の表示装置に対し、ＰＣ（Personal Computer）等の端末装置がＬＡＮ等のネットワークを介して画像情報を送信し、表示装置が当該画像情報に基づいて画像を表示するシステムが実現されている。しかし、画像情報の場合、データ量が多いため、通信負荷が高くなる。その上、端末装置が携帯電話等の処理能力が低い端末装置である場合、画像の全体を生成して送信するためには処理負荷が高くなる上、画面も小さいため画像の全体を表示することは困難である。例えば、画像の一部にテロップ等の文字を表示する場合、端末装置が文字と当該文字の表示指定位置を示す情報を表示装置に送信することが考えられる。例えば、特開２０００−３４７９７４号公報では、いわゆるチャットを行う際に、ユーザーが指定した位置にユーザーを示すアバターとユーザーが入力したメッセージを表示することが記載されている。
【先行技術文献】
【特許文献】
【０００３】
【特許文献１】特開２０００−３４７９７４号公報
【発明の概要】
【発明が解決しようとする課題】
【０００４】
しかし、上記公報の手法の場合、入力文字が既存の画像と重なったり、複数のユーザーによって指定された位置が重複してしまったりすることにより、入力文字が見づらくなってしまう。
【０００５】
本発明にかかるいくつかの態様は、上記課題を解決することにより、端末装置からの指定に応じて所望の位置に文字を表示する場合により見やすくかつ低負荷で文字を表示することが可能な表示装置、表示システムおよび表示方法を提供するものである。
【課題を解決するための手段】
【０００６】
本発明の態様の１つである表示装置は、端末装置から、文字と、当該文字の表示指定位置とを示す文字情報を受信する受信部と、前記文字の表示可能領域または表示不能領域を示す表示可能領域データを記憶する記憶部と、前記文字情報と、前記表示可能領域データとに基づき、前記表示指定位置に応じた前記文字の表示方法を決定する決定部と、当該決定部による決定と、前記表示可能領域データと、前記文字情報とに基づき、前記表示方法に応じて前記文字を含む文字画像を生成する表示側画像生成部と、当該文字画像を表示する表示側表示部と、を含むことを特徴とする。
【０００７】
また、本発明の態様の１つである表示システムは、前記表示装置と、前記端末装置と、を含み、前記端末装置は、前記文字の入力および前記表示指定位置の指定を受け付ける受付部と、前記文字情報を前記表示装置へ向け送信する送信部と、を含むことを特徴とする。
【０００８】
また、本発明の態様の１つである表示方法は、文字の表示可能領域または表示不能領域を示す表示可能領域データを記憶する記憶部を含む表示装置における表示方法であって、前記表示装置は、端末装置から、文字と、当該文字の表示指定位置とを示す文字情報を受信し、前記文字情報と、前記表示可能領域データとに基づき、前記表示指定位置に応じた前記文字の表示方法を決定し、当該決定と、前記表示可能領域データと、前記文字情報とに基づき、前記表示方法に応じて前記文字を含む文字画像を生成し、当該文字画像を表示することを特徴とする。
【０００９】
本発明によれば、表示装置等は、画像情報ではなく文字情報を受信し、文字情報と表示可能領域データを用いて表示指定位置に応じた文字の表示方法を決定することができるため、端末装置からの指定に応じて所望の位置に文字を表示する場合により見やすくかつ低負荷で文字を表示することができる。
【００１０】
また、前記文字情報は、前記文字の言語種別を示す言語種別情報を含み、前記決定部は、前記言語種別情報に基づき、前記言語種別に応じた前記文字の表示方法を決定してもよい。これによれば、表示装置等は、言語種別に応じて文字の表示方法を決定することができるため、例えば、縦書きに対応した言語の場合は縦書きで表示し、横書きのみに対応した言語の場合は横書きで表示すること等を決定することができる。
【００１１】
また、前記表示指定位置は、表示指定領域を示し、前記決定部は、前記表示指定領域が縦長の領域であって、かつ、前記言語種別が縦書きに対応した言語である場合、前記言語種別に応じた前記文字の表示方法として、前記文字を縦書きで表示することを決定してもよい。これによれば、表示装置等は、表示指定領域の形状と言語種別に応じて適切な表示を行うことができる。
【００１２】
また、前記文字情報は、前記文字または前記文字の背景の透過率に関する指定を示す透過情報を含み、前記決定部は、前記透過情報に基づき、前記透過率に応じた前記文字の表示方法を決定してもよい。これによれば、表示装置等は、例えば、透過率に応じて、文字や背景を透過させた状態で表示することにより、より見やすく文字を表示することができる。
【００１３】
また、前記表示装置は、前記表示可能領域データを更新する更新部を含んでもよい。これによれば、表示装置等は、例えば、複数のユーザーによって複数の文字が入力される場合であっても、それぞれの文字を見やすく表示することができる。
【００１４】
また、前記端末装置は、文字指定画像を生成する端末側画像生成部と、前記文字指定画像を表示する端末側表示部と、を含み、前記文字指定画像は、前記文字の入力および前記表示指定位置の指定を受け付けるための画像であってもよい。これによれば、ユーザーは、文字指定画像を見ながら文字の入力等を行うことができるため、表示システムは、ユーザーの利便性を向上させることができる。
【図面の簡単な説明】
【００１５】
【図１】第１の実施例における携帯電話とプロジェクターの機能ブロック図である。
【図２】第１の実施例における表示手順を示すフローチャートである。
【図３】第１の実施例における文字指定画像の一例を示す図である。
【図４】第１の実施例における文字画像の一例を示す図である。
【図５】第１の実施例における文字画像の他の一例を示す図である。
【図６】第２の実施例における文字指定画像の一例を示す図である。
【図７】第２の実施例における文字画像の一例を示す図である。
【図８】第３の実施例における表示システムの一例を示す図である。
【図９】第３の実施例におけるプロジェクターの機能ブロック図である。
【図１０】第３の実施例における文字画像の一例を示す図である。
【図１１】第３の実施例における文字画像の他の一例を示す図である。
【図１２】第３の実施例における文字画像の他の一例を示す図である。
【発明を実施するための形態】
【００１６】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における携帯電話２００とプロジェクター１００の機能ブロック図である。端末装置の一種である携帯電話２００は、ユーザーの入力文字等を示す文字情報を、有線または無線の伝送路を介してプロジェクター１００へ向け送信し、表示装置の一種であるプロジェクター１００は、当該文字情報等を用いて入力文字等を示す文字画像を表示する機能を有している。より具体的には、携帯電話２００は、ユーザーによる文字の入力および当該文字の表示指定位置の指定を受け付ける受付部２１０と、上記文字の入力および上記表示指定位置の指定を受け付けるための文字指定画像等を生成する端末側画像生成部２４０と、文字指定画像等を表示する端末側表示部２９０と、上記文字情報をプロジェクター１００へ向け送信する送信部２２０を含んで構成されている。
【００１８】
また、プロジェクター１００は、携帯電話２００から文字情報を受信する受信部１１０と、表示不能領域（表示可能領域でもよい）を示す表示可能領域データ１２２等を記憶する記憶部１２０と、表示可能領域データ１２２等に基づいて表示指定位置に応じた文字の表示方法を決定する決定部１３０と、決定部１３０の決定等に応じて文字画像等を生成する表示側画像生成部１４０と、文字画像等を表示する表示側表示部の一種である投写部１９０を含んで構成されている。
【００１９】
なお、プロジェクター１００および携帯電話２００は、以下のハードウェアを用いてこれらの各部として機能してもよい。例えば、プロジェクター１００は、受信部１１０は無線通信ユニット等、記憶部１２０はＲＡＭ等、決定部１３０はＣＰＵ等、表示側画像生成部１４０は画像処理回路等、投写部１９０はランプ、液晶パネル、液晶駆動回路、レンズ等を用いてもよい。また、例えば、携帯電話２００は、受付部２１０は操作ボタン、ＣＰＵ等、送信部２２０は無線通信ユニット等、端末側画像生成部２４０は画像処理回路等、端末側表示部２９０は液晶パネル、液晶駆動回路等を用いてもよい。
【００２０】
次に、第１の実施例における文字画像の表示手順について説明する。図２は、第１の実施例における表示手順を示すフローチャートである。ここでは、学校の授業において、先生がプロジェクター１００を用いて漢字の問題を出題し、解答を、携帯電話２００を用いて入力してプロジェクター１００に投写させる例について説明する。
【００２１】
まず、先生は、プロジェクター１００を操作して漢字の問題を示す画像を投写する。次に、先生は、携帯電話２００の操作ボタンを操作し、携帯電話２００に対して解答を入力するために文字指定画像の表示指示を行う。受付部２１０は表示指示を受け付け、端末側画像生成部２４０は、当該表示指示に応じて文字指定画像を生成し、端末側表示部２９０は、当該文字指定画像を表示する（ステップＳ１）。
【００２２】
図３は、第１の実施例における文字指定画像４００の一例を示す図である。文字指定画像４００は、例えば、表示文字を入力させるための文字入力欄画像、文字画像における表示位置を指定させるための表示位置指定ボタン画像、入力文字等をプロジェクター１００に送信させるための送信ボタン画像等を示す画像である。
【００２３】
先生は、例えば、文字指定画像４００が表示された状態で、携帯電話２００を操作することにより、文字入力欄に「解答  発揮」と入力し、表示位置指定ボタン画像で左のボタン画像を指定し、送信ボタンを押す操作を行う。受付部２１０は、文字の入力と表示位置等の指定を受け付ける（ステップＳ２）。
【００２４】
受付部２１０は、送信ボタンを押す操作が行われたかどうかを判定し（ステップＳ３）、送信ボタンを押す操作が行われた場合は文字の入力内容と表示位置等を示す文字情報を送信部２２０に送信させる。
【００２５】
プロジェクター１００の受信部１１０は、携帯電話２００から文字情報を受信する（ステップＰ１）。決定部１３０は、文字情報、表示可能領域データ１２２に基づき、表示指定位置に応じて文字の表示方法を決定する（ステップＰ２）。
【００２６】
表示側画像生成部１４０は、決定部１３０による決定、表示可能領域データ１２２、文字情報に基づき、文字画像を生成し（ステップＰ３）、投写部１９０は、当該文字画像をスクリーン等に投写する（ステップＰ４）。
【００２７】
図４は、第１の実施例における文字画像５００の一例を示す図である。また、図５は、第１の実施例における文字画像５０１の他の一例を示す図である。例えば、図４の文字画像５００では、問題文を囲む矩形の領域が表示不能領域６００として設定され、文字画像５００の左側の一部の領域が表示指定領域６１０として設定されている。なお、わかりやすくするため、２点鎖線と１点鎖線を用いて領域を示しているが、これらの領域を示す線は、実際には表示されないものである。また、図５の文字画像５０１では、問題文を囲む矩形の領域とイラストを囲む矩形の領域とが合成された領域が表示不能領域６０１として設定され、文字画像５０１の左側の一部の領域が表示指定領域６１１として設定されている。
【００２８】
決定部１３０は、図４に示す例では、表示指定領域６１０が縦長の領域であり、表示不能領域６００と重複せず、デフォルトの言語が日本語であり、縦書きに対応した言語であるため、表示指定領域６１０に上から下の方向に文字情報で示される文字列を表示することを決定する。また、決定部１３０は、図５に示す例では、表示指定領域６１１が縦長の領域であるが、表示不能領域６０１と重複しており、表示可能な領域が横長の領域であると判定し、デフォルトの言語が日本語であり、横書きにも対応した言語であるため、表示指定領域６１１の表示可能な領域に左から右の方向に文字情報で示される文字列を表示することを決定する。
【００２９】
以上のように、本実施例によれば、プロジェクター１００は、画像情報ではなく文字情報を受信し、文字情報と表示可能領域データ１２２を用いて表示指定位置に応じた文字の表示方法を決定することができるため、携帯電話２００からの指定に応じて所望の位置に文字を表示する場合により見やすくかつ低負荷で文字を表示することができる。また、プロジェクター１００は、表示指定領域６１０、６１１の形状と言語種別に応じて横書きだけでなく、縦書きにも対応して適切な表示を行うことができる。さらに、本実施例によれば、ユーザーは、文字指定画像４００を見ながら文字の入力等を行うことができるため、プロジェクター１００と携帯電話２００で構成される表示システムは、ユーザーの利便性を向上させることができる。
【００３０】
（第２の実施例）
プロジェクター１００は、入力文字や当該入力文字の背景に対する透過率の指定に応じて入力文字等を透過させた画像を投写することも可能である。
【００３１】
図６は、第２の実施例における文字指定画像４０１の一例を示す図である。また、図７は、第２の実施例における文字画像５０２の一例を示す図である。文字指定画像４０１は、上述した文字指定画像４００の項目に加え、入力文字の透過率に関する選択肢を示す項目と、当該入力文字の背景の透過率に関する選択肢を示す項目を含む。ここでは、当該選択肢として、透過（透過率１００％）、半透過（透過率５０％）、非透過（透過率０％）の３種類があるものとする。
【００３２】
先生は、例えば、文字指定画像４０１が表示された状態で、携帯電話２００を操作することにより、文字入力欄に「解答  発揮」と入力し、表示位置指定ボタン画像で下のボタン画像を指定し、入力文字の透過率に関する選択肢で「半透過」を選択し、当該入力文字の背景の透過率に関する選択肢で「透過」を選択したものとする。
【００３３】
文字画像５０２では、問題文の背景にあるイラストが大きいため、表示不能領域６０２が表示指定領域６１２の半分を超える領域と重複している。決定部１３０は、このような場合であっても、入力文字の透過率に関する選択肢で「半透過」が選択された場合は表示可能であると判定し、表示指定領域６１２の左上から右に向かって入力文字を表示することを決定する。これにより、プロジェクター１００は、図７に示すように、問題文の背景にあるイラスト上に入力文字を半透過の状態で表示する文字画像５０２を投写することができる。
【００３４】
以上のように、本実施例によれば、プロジェクター１００は、入力文字や当該入力文字の背景を透過させた状態で表示することにより、より見やすく入力文字を表示することができる上、表示可能な領域が少ない場合であっても入力文字を表示することができる。
【００３５】
（第３の実施例）
上述した実施例では、プロジェクターは、１台の携帯電話２００からの文字情報を受信したが、ほぼ同時に複数の携帯電話２００からの文字情報を受信し、１つの文字画像に複数のユーザーの入力文字を表示することも可能である。
【００３６】
図８は、第３の実施例における表示システムの一例を示す図である。ここでは、プロジェクター１０１は、３台の携帯電話２００−１〜２００−３から無線で文字情報を受信可能であるものとする。
【００３７】
図９は、第３の実施例におけるプロジェクター１０１の機能ブロック図である。プロジェクター１０１は上述したプロジェクター１００とほぼ同様の構成であるが、記憶部１２１が表示可能領域データ１２２に加え、表示指定領域を示す表示指定領域データ１２４、文字情報を示す入力文字データ１２６を記憶し、プロジェクター１０１が表示可能領域データ１２２、表示指定領域データ１２４、入力文字データ１２６を更新する更新部１５０を含んでいる点で、プロジェクター１０１はプロジェクター１００の構成と異なっている。なお、更新部１５０は、例えば、ＣＰＵ等であってもよい。
【００３８】
図１０は、第３の実施例における文字画像５０３の一例を示す図である。また、図１１は、第３の実施例における文字画像５０４の他の一例を示す図である。また、図１２は、第３の実施例における文字画像５０４の他の一例を示す図である。ここでは、３人のユーザーが携帯電話２００を用いて議題についてコメントを入力し、プロジェクター１０１が当該コメントを元の画像に重ねて投写するものとする。
【００３９】
例えば、ユーザーがコメントを入力する前の状態では、図１０に示すように、文字画像５０３において、表示不能領域６０３は議題と３つの案を囲む矩形の領域であり、表示指定領域６１３はデフォルトの領域である。この状態で１人目のユーザーがコメントを入力した場合、更新部１５０は、当該ユーザーの文字情報に基づき、入力文字データ１２６を更新し、図１１に示すように、表示不能領域６０４が１人目のコメントも囲むように表示可能領域データ１２２を更新する。これにより、１人目のユーザーがコメントを入力した場合の文字画像５０４において、表示不能領域６０４は議題と３つの案と１人目のコメントを囲む矩形の領域になり、表示指定領域６１４はデフォルトの領域になる。
【００４０】
次に、２人目のユーザーがコメントを入力した場合、更新部１５０は、当該ユーザーの文字情報に基づき、入力文字データ１２６を更新する。デフォルトの表示指定領域６１４のままでは、２人目のユーザーがコメントを入力した場合、３人目のユーザーが表示指定領域６１４にコメントを入力できない。そこで、更新部１５０は、表示指定領域６１５を拡張するように表示指定領域データ１２４を更新する。具体的には、例えば、図１２に示すように、２人目のユーザーがコメントを入力した場合の文字画像５０５において、表示不能領域６０５は議題と３つの案と２人のコメントを囲む矩形の領域になり、表示指定領域６１５は、３人目のユーザーがコメントを入力可能な空き領域を含むように、デフォルトの領域が上方向に拡張された領域になる。
【００４１】
以上のように、本実施例によれば、プロジェクター１０１は、複数のユーザーによって複数の文字が入力される場合であっても、それぞれの文字を見やすく表示することができる。
【００４２】
（その他の実施例）
なお、本発明の適用は上述した実施例に限定されず、種々の変形が可能である。例えば、文字情報は、文字の入力内容を示す情報に加え、当該文字の言語種別を示す言語種別情報、当該文字の点滅の有無を示す情報、当該文字のスクロール方法（移動方向、移動速度）を示す情報、当該文字のフォントを示す情報、当該文字の大きさを示す情報、当該文字の表示停止を示す情報、当該文字の表示時間を示す情報、当該文字の表示開始日時を示す情報、または、改行コードを示す情報等を含んでもよい。
【００４３】
例えば、決定部１３０は、文字情報に含まれる言語種別情報に基づき、当該言語種別に応じた文字の表示方法を決定してもよい。これによれば、プロジェクター１００、１０１は、言語種別に応じて文字の表示方法を決定することができるため、例えば、縦書きに対応した言語の場合は縦書きで表示し、横書きのみに対応した言語の場合は横書きで表示すること等を決定することができる。
【００４４】
また、文字情報に含まれる表示位置を示す情報は、上述した上下左右に限定されず、例えば、中央、画像全体、画像における座標位置等を示す情報であってもよい。また、決定部１３０は、入力文字の背景にある画像の内容に応じて入力文字の背景を透過させるか非透過にするかを決定してもよい。例えば、決定部１３０は、入力文字の背景にある画像が３色以下である場合は入力文字の背景を透過させ、入力文字の背景にある画像が４色以上である場合は入力文字の背景を非透過に決定してもよい。これによれば、プロジェクター１００、１０１は元の画像の内容をできるだけ変更しないで入力文字を見やすく表示することができる。
【００４５】
また、プロジェクター１００、１０１の有するコンピューターは、情報記憶媒体に記憶されたプログラムを読み取って決定部１３０の処理等を実行してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４６】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、プロジェクター１００、１０１の機能を複数の装置（例えば、ＰＣとプロジェクター等）に分散してもよい。
【００４７】
また、表示装置は、プロジェクター１００、１０１に限定されず、例えば、テレビ、液晶ディスプレイ等であってもよい。また、端末装置は、携帯電話２００に限定されず、例えば、携帯型端末装置、ＰＣ、ゲーム装置等であってもよい。
【符号の説明】
【００４８】
１００、１０１  プロジェクター（表示装置）、１１０  受信部、１２０、１２１  記憶部、１２２  表示可能領域データ、１２４  表示指定領域データ、１２６  入力文字データ、１３０  決定部、１４０  表示側画像生成部、１５０  更新部、１９０  投写部（表示側表示部）、２００  携帯電話（端末装置）、２１０  受付部、２２０  送信部、２４０  端末側画像生成部、２９０  端末側表示部、４００、４０１  文字指定画像、５００〜５０４  文字画像、６００〜６０４  表示不能領域、６１０〜６１４  表示指定領域
【図１】
2011197711.tif 000003
【図２】
2011197711.tif 000004
【図３】
2011197711.tif 000005
【図４】
2011197711.tif 000006
【図５】
2011197711.tif 000007
【図６】
2011197711.tif 000008
【図７】
2011197711.tif 000009
【図８】
2011197711.tif 000010
【図９】
2011197711.tif 000011
【図１０】
2011197711.tif 000012
【図１１】
2011197711.tif 000013
【図１２】
2011197711.tif 000014